(57)【要約】【課題】底部がシンプルな構成でありながら汚れにくく衛生的な水切りかごと、当該水切りかご内に水分を付着した食器類から落下した水を、直下位置で受けると共に自然にシンクへ導いて流下できて利便性に優れた傾斜状の水切りトレーを提供する。【解決手段】水切りかごは、底部を形成する複数本のステンレス製ワイヤー等の線材が、互いに接することなく平行に一方向にのみ配置されて成る。水切りトレーは、少なくとも水切りかごの底部の面積を有する傾斜状平面部が、起立部によって所定角度を維持し全体として緩やかに傾斜する傾斜状に形成されており、直上の水切りかご内の食器類の水は、直下の傾斜状平面部上に落下し、同傾斜状平面部の傾斜にしたがい傾斜状平面部上を伝って下方へ流動されシンクへと流下する。【選択図】        図１
0003107205.tif 000002
【実用新案登録請求の範囲】
【請求項１】
シンク横のカウンター上に載置され、脚部により所定高さで支持される底部と囲い部を有する水切りかごであって、
前記底部を形成する複数本のステンレス製ワイヤー等の線材が、互いに接することなく平行に一方向にのみ配置されて成ることを特徴とする水切りかご。
【請求項２】
底部と囲い部を有する水切りかごであって、
前記底部を形成する複数本のステンレス製ワイヤー等の線材が、互いに接することなく平行に一方向にのみ配置されていると共に、前記囲い部に逆Ｕ字状のフックが複数取り付けられており、このフックにより別設の水切りかご等に引っ掛け自在に構成されていることを特徴とする水切りかご。
【請求項３】
底部の外周に起立状に配設される囲い部の高さが低く形成されていることを特徴とする、請求項１又は２に記載した水切りかご。
【請求項４】
シンク横のカウンター上に載置される水切りかごの直下に配置され、前記水切りかご内に載置された濡れた食器類の水を受ける水切りトレーであって、
当該水切りトレーは傾斜状平面部と起立部と囲い部を有し、前記起立部によって傾斜状平面部が所定角度を維持し全体として緩やかに傾斜する傾斜状に形成され、直上に位置する水切りかご内の食器類から落下した水が、前記傾斜状平面部の上を伝って下方へ流動されシンクへと流下自在に構成されていることを特徴とする水切りトレー。
【請求項５】
シンク横のカウンター上に載置される水切りかごの直下に配置され、前記水切りかご内に載置された濡れた食器類の水を受ける水切りトレーであって、
当該水切りトレーは傾斜状平面部と、この傾斜状平面部の背後端縁が下方に折曲されて成る起立部と、前記傾斜状平面部の両側端縁が上方に折曲されて成る囲い部を有し、前記起立部によって傾斜状平面部が所定角度を維持し全体として緩やかに傾斜する傾斜状に形成され、直上に位置する水切りかご内の食器類から落下した水が、前記傾斜状平面部の上を伝って下方へ流動されシンクへと流下自在に構成されていることを特徴とする水切りトレー。
【請求項６】
傾斜状平面部の最低位置の正面端縁が、下方に若干湾曲するシンク臨み部として形成され、当該シンク臨み部がカウンターに連接するシンクの上方角部に係止可能に構成されていることを特徴とする、請求項４又は５に記載した水切りトレー。
【請求項７】
傾斜状平面部の表面が、水の流下を増進するシリコン焼付け塗装によって加工処理されていることを特徴とする、請求項４又は５又は６に記載した水切りトレー。
【請求項８】
シンク横のカウンター上に載置され脚部により所定高さで支持される底部を有する水切りかごと、当該水切りかごの直下に配置され前記水切りかご内に載置された濡れた食器類の水を受ける水切りトレーであって、
前記水切りかごは、その底部を形成する複数本のステンレス製ワイヤー等の線材が、互いに接することなく平行に一方向にのみ配置されて成ると共に、前記水切りトレーは、少なくとも前記水切りかごの底部の面積を有する傾斜状平面部が、起立部によって所定角度を維持し全体として緩やかに傾斜する傾斜状に形成されており、直上に位置する前記水切りかご内に載置された食器類の水は、直下に位置する前記水切りトレーの傾斜状平面部の上に落下し、同傾斜状平面部の傾斜にしたがい傾斜状平面部上を伝って下方へ流動されシンクへと流下自在に構成されていることを特徴とする水切りかご及び水切りトレー。
【考案の詳細な説明】
【技術分野】
【０００１】
本考案は、台所のキッチンユニット等のシンク横のカウンター上に載置される水切りかごに、洗い終った皿やコップ、茶碗、箸、スプーン、フォーク、ナイフ、お玉、フライ返し、ピーラー等（総称して食器類という。）を入れ、水切りされ落下した当該水を直下の水切りトレーで受けてシンクへと導く水切りかご及び水切りトレーの技術分野に属するものである。
【背景技術】
【０００２】
洗った食器類の水切りを行うため、台所のキッチンユニットのシンク内やシンク横のカウンターに設置する水切りかごや、同水切りかごの直下に配置する水切りトレーは公知に属する。
【０００３】
前記水切りかごはワイヤーの線材で底部や囲い部を形成するものが多く、例えば、特開２００２−３３０８８０号特許公開公報には、第１線材と第２線材が直交状に交差して底部を形成する水切りかごが開示されている。
【０００４】
また、従来の水切りトレーは、外周全体が立設された壁部に囲まれたフラット状の底部を有し、この底部に水を溜めるものが知られている（図示は省略）。
【特許文献１】特開２００２−３３０８８０号特許公開公報
【考案の開示】
【考案が解決しようとする課題】
【０００５】
前記従来の水切りかごの場合、底部を形成する線材が一方向のみに向いているのではなく、直交する線材があって、両線材が交わる部分に溶接箇所がある。そのため、その溶接箇所に汚れがたまりやすく不衛生である上、洗いにくいといった問題が生じている。
【０００６】
また前記従来の水切りトレーは、フラット状の底部は水平配置とされ、その底部上に落下する水は外周の壁部により外へは容易にあふれ出ない構造となっている。そのため、トレー内に溜まった水は、いちいちこの水切りトレーを移動してゆっくり傾け、シンク等へその水を流す必要があり、面倒な作業を余儀なくされている。
【０００７】
したがって、本考案の目的は、台所のシンク横のカウンターに載置され、底部がシンプルな構成でありながら汚れにくく衛生的な水切りかごと、当該水切りかご内に載置された濡れた食器類から落下した水を、直下位置で受けると共に自然にシンクへと導いて流下できる利便性に優れた傾斜状の水切りトレーを提供することにある。
【課題を解決するための手段】
【０００８】
上記課題を解決するための手段として、請求項１記載の考案に係る水切りかごは、シンク１１横のカウンター１０上に載置され、脚部１により所定高さで支持される底部２と囲い部３を有する水切りかごａであって、前記底部２を形成する複数本のステンレス製ワイヤー等の線材２０・・・が、互いに接することなく平行に一方向にのみ配置されて成ることを特徴とする。
【０００９】
請求項２記載の考案の水切りかごは、底部４と囲い部５を有する水切りかごｂであって、前記底部４を形成する複数本のステンレス製ワイヤー等の線材４０・・・が、互いに接することなく平行に一方向にのみ配置されていると共に、前記囲い部５に逆Ｕ字状のフック６が複数取り付けられており、このフック６により別設の水切りかごａ等に引っ掛け自在に構成されていることを特徴とする。
【００１０】
請求項３記載の考案の水切りかごは、前記底部２、４の外周に起立状に配設される囲い部３、５の高さが低く形成されていることを特徴とする。
【００１１】
請求項４記載の考案の水切りトレーは、シンク１１横のカウンター１０上に載置される水切りかごａ、ｂの直下に配置され、前記水切りかごａ、ｂ内に載置された濡れた食器類１２の水１３を受ける水切りトレーｃであって、当該水切りトレーｃは傾斜状平面部７と起立部８と囲い部９を有し、前記起立部８によって傾斜状平面部７が所定角度を維持し全体として緩やかに傾斜する傾斜状に形成され、直上に位置する水切りかごａ、ｂ内の食器類１２から落下した水１３が、前記傾斜状平面部７の上を伝って下方へ流動されシンク１１へと流下自在に構成されていることを特徴とする。
【００１２】
請求項５記載の考案の水切りトレーは、シンク１１横のカウンター１０上に載置される水切りかごａ、ｂの直下に配置され、前記水切りかごａ、ｂ内に載置された濡れた食器類１２の水１３を受ける水切りトレーｃであって、当該水切りトレーｃは傾斜状平面部７と、この傾斜状平面部７の背後端縁７０が下方に折曲されて成る起立部８と、前記傾斜状平面部７の両側端縁７１、７１が上方に折曲されて成る囲い部９、９を有し、前記起立部８によって傾斜状平面部７が所定角度を維持し全体として緩やかに傾斜する傾斜状に形成され、直上に位置する水切りかごａ、ｂ内の食器類１２から落下した水１３が、前記傾斜状平面部７の上を伝って下方へ流動されシンク１１へと流下自在に構成されていることを特徴とする。
【００１３】
請求項６記載の考案の水切りトレーは、前記傾斜状平面部７の最低位置の正面端縁７２が、下方に若干湾曲するシンク臨み部７２として形成され、当該シンク臨み部７２がカウンター１０に連接するシンク１１の上方角部１１ａに係止可能に構成されていることを特徴とする。
【００１４】
請求項７記載の考案の水切りトレーは、前記傾斜状平面部７の表面が、水１３の流下を増進するシリコン焼付け塗装７３によって加工処理されていることを特徴とする。
【００１５】
請求項８記載の考案の水切りかご及び水切りトレーは、シンク１１横のカウンター１０上に載置され脚部１により所定高さで支持される底部２を有する水切りかごａと、当該水切りかごａの直下に配置され前記水切りかごａ内に載置された濡れた食器類１２の水１３を受ける水切りトレーｃであって、前記水切りかごａは、その底部２を形成する複数本のステンレス製ワイヤー等の線材２０・・・が、互いに接することなく平行に一方向にのみ配置されて成ると共に、前記水切りトレーｃは、少なくとも前記水切りかごａの底部２の面積を有する傾斜状平面部７が、起立部８によって所定角度を維持し全体として緩やかに傾斜する傾斜状に形成されており、直上に位置する前記水切りかごａ内に載置された食器類１２の水１３は、直下に位置する前記水切りトレーｃの傾斜状平面部７の上に落下し、同傾斜状平面部７の傾斜にしたがい傾斜状平面部７上を伝って下方へ流動されシンク１１へと流下自在に構成されていることを特徴とする。
【考案の効果】
【００１６】
請求項１、２記載の考案の水切りかごは、底部を形成する複数本のステンレス製ワイヤー等の線材が、互いに接することなく平行に一方向にのみ配置されており、直交する線材が無く溶接箇所も無いので溶接箇所に汚れがたまるようなことが無く、衛生上優れている。しかも、底部の線材が直交せず平行に一方向にのみ配置されているから洗い易くて便利である。
【００１７】
請求項３記載の考案の水切りかごは、その底部の外周に起立状に配設される囲い部の高さが、市販の一般的な水切りかごより低く形成されているので、水切りをする食器類、とりわけ箸等の長尺物の当該水切りかごへの出し入れが行い易い利便性に優れている。
【００１８】
請求項４、５記載の考案の水切りトレーは、傾斜状平面部と起立部と囲い部を有し、前記起立部によって傾斜状平面部が所定角度を維持し全体として緩やかに傾斜する傾斜状に形成されているので、直上に位置する水切りかご内の濡れた食器類から落下した水を、直下位置で確実に受けると共に、傾斜する傾斜状平面部の上を伝って自然にシンク内へと当該水を導いて流下できる利便性に優れている。しかも、請求項５記載の水切りトレーによれば、傾斜状平面部の背後端縁が下方に折曲されることにより簡単に起立部を形成できて平面部を傾斜状に維持でき、また傾斜状平面部の両側端縁が上方に折曲されて簡単に囲い部を形成できる製作容易性にも寄与する。
【００１９】
請求項６記載の考案の水切りトレーは、傾斜状平面部の最低位置の正面端縁が、下方に若干湾曲するシンク臨み部として形成されているので、当該シンク臨み部がカウンターに連接するシンクの上方角部にぴったりと係止され、位置決め固定を図りつつ、傾斜状平面部を流下してきた水を確実にシンク内へと導くことができる。
【００２０】
請求項７記載の考案の水切りトレーは、傾斜状平面部の表面がシリコン焼付け塗装によって加工処理されているので、その傾斜状平面部上の水の流下が増進され、水切りに万全が期されている。
【００２１】
請求項８記載の考案の水切りかご及び水切りトレーによれば、この水切りトレーは、少なくとも水切りかごの底部の面積を有する傾斜状平面部が、起立部によって所定角度を維持し全体として緩やかに傾斜する傾斜状に形成されているので、シンク横のカウンターの上で、両水切りかごと水切りトレーを同時に簡単にセッティングでき、作業性に優れている。勿論、水切りかご内に載置された濡れた食器類の水は、直下に位置する水切りトレーの傾斜状平面部の上に落下し、同傾斜状平面部の傾斜にしたがい傾斜状平面部上を伝って下方へ流動されシンクへと流下する利便性が達成されるのである。
【考案を実施するための最良の形態】
【００２２】
請求項１〜８記載の水切りかご及び水切りトレーの好適な実施形態を、図面にしたがって説明する。図１は、台所での使用例を示している。これら水切りかごａ、ｂと水切りトレーｃは別部材であるが、図８のような台所のキッチンユニット等のシンク１１横のカウンター１０上に一体的に簡単に載置される（請求項８）。洗い終って水１３が付着した食器類１２が、水切りかごａ、ｂ内に載置して保持され、水切りして落下した当該水１３を、直下位置の水切りトレーｃで受けてシンク１１へと導くものである（図１１参照）。
【００２３】
まず、図１〜図４に示した水切りかごａについて説明する。
【００２４】
本実施形態の水切りかごａは、ステンレス製ワイヤーの線材により両側に設けられた脚部１、１により、所定の高さ位置で支持される底部２と、その底部２の外周から立ち上がった囲い部３を有するかご状に形成されている。前記底部２も複数本のステンレス製ワイヤーの線材２０・・・で形成されており、これら底部２を形成する線材２０・・・が互いに接することなく平行に一方向（通常は図示例のように短手方向の一方向）にのみ配置されている（請求項１）。なお、本実施形態の囲い部３の前後は、前記底部２の線材２０が各々両端で上向き直角状に折曲して形成され、また囲い部３の左右は、前記脚部１の線材と一体的に水平な線材により形成している（但し、この形成方法の限りでない）。
【００２５】
したがって、底部２を形成する複数本の線材２０・・・が、互いに接することなく平行に一方向にのみ配置されており、直交する線材が無く溶接箇所も無いので溶接箇所に汚れがたまるようなことが無く、衛生的で洗い易い。
【００２６】
次に、図５〜図７に示した水切りかごｂについて説明する。
【００２７】
本実施形態の水切りかごｂは、上述の水切りかごａ等に引っ掛けて使用されるものであり、前記水切りかごａより奥行きや幅寸、高さが小さい細長形状の付属の水切りかごである。前記水切りかごａと比べると脚部１が無い。しかし、その他は共通する点が多い。すなわち、テンレス製ワイヤーの線材により底部４と囲い部５を有し、前記底部４を形成する複数本のステンレス製ワイヤー等の線材４０・・・が、やはり互いに接することなく平行に短手方向の一方向にのみ配置されている。また、立設する囲い部５の一側面に、逆Ｕ字状のフック６が２つ取り付けられており、図１、図６に示した如く、水切りかごａに引っ掛けることができる（請求項２）。通常は、シンク１１側の水切りかごａの囲い部３に引っ掛けて使用される。
【００２８】
また、前記水切りかごａ、ｂは、底部２、４の外周に起立状に配設される囲い部３、５の高さが、一般的な水切りかごより低く形成されている（請求項３）。水切りをする食器類１２の当該水切りかごａ、ｂへの出し入れを行い易くしたためである。特に水切りかごｂへは、菜箸など長尺物の水切りも簡単に行うことができる（図１）。
【００２９】
次に、図８〜図１３に示した水切りトレーｃについて説明する。
【００３０】
本実施形態の水切りトレーｃは、上記のように、シンク１１横のカウンター１０上に載置される水切りかごａ、ｂの直下に配置され、前記水切りかごａ、ｂ内に載置された食器類１２の水１３を受けた後、その水１３をシンク１１へと導くトレーである（請求項４）。
【００３１】
この水切りトレーｃは、請求項８のように、少なくとも前記水切りかごａの底部２の面積を有するステンレススチール製の傾斜状平面部７が、起立部８によって所定角度（約３度）を維持し全体として緩やかに傾斜する傾斜状に形成されている。起立部８は、請求項５のように、傾斜状平面部７の背後端縁７０が下方に折曲して形成する実施形態が好ましい（図１０、図１１）。また、前記傾斜状平面部７の両側端縁７１、７１が上方に若干折曲されて囲い部９、９が形成されており、上方から受けた水１３が周囲にこぼれないようになっている（図１２、図１３）。
【００３２】
また、前記傾斜状平面部７の最低位置の正面端縁７２が、下方に若干湾曲するシンク臨み部７２として形成されている（請求項６）。さらに、傾斜状平面部７の表面を、水１３の流下を増進するシリコン焼付け塗装７３によって加工処理する実施形態が好ましい（請求項７）。
【００３３】
したがって、本実施形態の水切りトレーｃを、図１０に示したようなカウンター１０やその他平坦面の上に載置しただけでも、傾斜状平面部７が緩やかに傾いて設置される。これを、図１１に示したようなカウンター１０に連接するシンク１１の上方角部１１ａに、傾斜状平面部７の前面のシンク臨み部７２を引っ掛けるように載置すれば、水切りトレーｃをしっかりと位置決め固定できると共に、傾斜状平面部７の傾斜角度を更に大きくでき、傾斜状平面部７の上を伝って下方へ流動してきた水１３を当該水切りトレーｃからこぼすこと無く、シンク１１へと確実に流下させて導くことができる。
【図面の簡単な説明】
【００３４】
【図１】水切りかごと水切りトレーの使用例を示した斜視図である。
【００３５】
【図２】水切りかごを示した平面図である。
【００３６】
【図３】図２の水切りかごの正面図である。
【００３７】
【図４】図２の水切りかごの側面図である。
【００３８】
【図５】異なる水切りかごを示した斜視図である。
【００３９】
【図６】異なる水切りかごの使用状態を示した拡大側面図である。
【００４０】
【図７】Ａ、Ｂは異なる水切りかごを示した平面図と正面図である。
【００４１】
【図８】水切りかごと水切りトレーの台所カウンターにおける使用状態を示した斜視図である。
【００４２】
【図９】台所カウンターにおける水切りかごと水切りトレーを示した斜視図である。
【００４３】
【図１０】台所カウンター上の水切りトレーを示した側面図である。
【００４４】
【図１１】台所カウンターからシンクを臨む水切りトレーの使用状態を示した側面図である。
【００４５】
【図１２】水切りトレーを示した平面図である。
【００４６】
【図１３】図１２の水切りトレーの背面図である。
【符号の説明】
【００４７】
ａ、ｂ    水切りかご
ｃ        水切りトレー
１        脚部
２        底部
２０      線材
３        囲い部
４        底部
４０      線材
５        囲い部
６        フック
７        傾斜状平面部
７０      背後端縁
７１      両側端縁
７２      シンク臨み部（正面端縁）
７３      シリコン焼付け塗装
８        起立部
９        囲い部
１０      カウンター
１１      シンク
１２      食器類
１３      水
【図１】
0003107205.tif 000003
【図２】
0003107205.tif 000004
【図３】
0003107205.tif 000005
【図４】
0003107205.tif 000006
【図５】
0003107205.tif 000007
【図６】
0003107205.tif 000008
【図７】
0003107205.tif 000009
【図８】
0003107205.tif 000010
【図９】
0003107205.tif 000011
【図１０】
0003107205.tif 000012
【図１１】
0003107205.tif 000013
【図１２】
0003107205.tif 000014
【図１３】
0003107205.tif 000015